(57)【特許請求の範囲】
【請求項１】
光源と、
底板、該底板を囲み前記光源が固定されている側板、及び該底板の対向側の開口を有する箱形の外筐と、
側面が前記光源に対向して、前記光源の光が該側面に入射され、一面から光を出射し、他面が前記外筐の底板に対向し該底板を覆う導光板と、
該導光板の周縁部、前記外筐の開口及び前記光源を囲う枠体と、
前記一面の側に配置された光学シートとを備えるバックライト装置において、
前記枠体は、
内面が前記外筐の側板の外面に嵌合された周壁板と、
前記周壁板の内面から垂直をなして前記導光板と接することなく延設された支持板と、
光源側で前記支持板の先端から前記導光板の前記一面に向けて一体に突出する第一覆部と
を備え、
前記第一覆部は、前記光学シートと接することなく前記導光板の前記一面の周縁部に当接する当接部位、及び前記導光板と接することなく前記光学シートを保持する保持部位を備え、該保持部位は該当接部位よりも先端側に設けられており、
前記光学シートは、前記光源側で前記第一覆部の前記保持部位上に配置され、前記光源が配置されていない側で、少なくとも一部が前記一面上に配置されており、前記光源側に斜めに立ち上がる鍔部を備え、
前記光源側で前記外筐の底板と前記導光板との間に該導光板を支持する支持体が配置されており、
前記第一覆部の前記当接部位は、前記支持体とともに前記導光板を挟持している
ことを特徴とするバックライト装置。
【請求項２】
前記光源は、前記導光板の一つの側面に対向して配置され、
前記光学シートは、前記光源側と相対する側で前記一面上に配置されていることを特徴とする請求項１に記載のバックライト装置。
【請求項３】
前記光源は、前記導光板の一つの側面に対向して配置され、
前記枠体は、前記光源側と相対する側で前記一面の周縁部を覆う第二覆部を備え、
前記光学シートは、前記光源側と相対する側で前記第二覆部上に配置されていることを特徴とする請求項１に記載のバックライト装置。
【請求項４】
前記第一覆部は、前記支持板とともに前記光源を覆って、前記光源から前記外筐の開口側へ出射される光を遮るように構成されていることを特徴とする請求項１に記載のバックライト装置。
【請求項５】
画像を表示する表示パネルと、
該表示パネルに光を照射する請求項１から請求項４のいずれか一項に記載のバックライト装置と
を備えることを特徴とする表示装置。
【発明の詳細な説明】
【技術分野】
【０００１】
本発明は、画像を表示する表示パネルに光を照射するバックライト装置、及び、該バックライト装置を備える表示装置に関する。
【背景技術】
【０００２】
近年、液晶パネルを画像表示部として備える表示装置が広く普及している。この表示装置は、液晶パネルの背面側にバックライト装置を配置し、該バックライト装置の発光を液晶パネルにより変調して透過させ、該液晶パネルの正面に画像を表示するように構成されている。【０００３】
バックライト装置は、一面が開放された箱状をなすバックライトシャーシの内部に導光板及び光源を収容して構成されている。導光板はバックライトシャーシの底板略全面を覆うように載置されている。光源は、例えば発光ダイオード（ＬＥＤ：Light Emitting Diode）等であり、バックライトシャーシの側板に導光板の側面に対向するように固定されている。バックライトシャーシの開放された一面に、該一面の周縁及び導光板の周縁を覆う枠体が配置されている。枠体の導光板と反対側には、光学シートが保持されている。表示装置は、光学シートに対向するように液晶パネルを配置して構成される。パネルは枠体に支持される。このように構成された表示装置では、光源の光が導光板の側面から入射し、導光板内を拡散しながら進行し、該導光板の一面から出射されて、光学シートを経由して液晶パネルに照射される。【０００４】
近年、表示装置の狭額縁化に伴い、上述した構成の表示装置においては、導光板の周縁を覆う枠体の内縁と液晶パネルの画面の表示領域とが近くなっている。枠体は光を透過しないため、液晶パネルには、表示領域の周縁部分に枠体の影ができ、当該部分が暗くなって、表示画像の品位が低下するという課題がある。【０００５】
そこで、特許文献１に、表示装置及び当該表示装置に使用するバックライト装置が提案されている。特許文献１に記載の表示装置においては、導光板の光出射面を覆う光学シートに位置決め孔が形成されており、この位置決め孔に嵌合する位置決めピンが導光板に形成されている。光学シートは、導光板上に配置し、位置決め孔に位置決めピンを通して嵌合させることで位置決めされる。導光板上に光学シートを直置きしてあるため、枠体は光学シートの位置決め機能を持つ必要がなく、幅を狭くすることができ、暗部は生じにくい。
【先行技術文献】
【特許文献】
【０００６】
【特許文献１】特開２０１２−１６４５０７号公報
【発明の概要】
【発明が解決しようとする課題】
【０００７】
しかし、特許文献１に記載のバックライト装置においては、光源の光が光学シートの端面に直接に入射して、導光板を経ずにそのまま出射されたり、導光板内で十分に拡散されない状態で出射されたりする虞がある。このように出射される光は、液晶パネルの表示領域の周縁部分に局所的に照射され、照射位置が明るくなり、表示領域の輝度分布が不均一となって、液晶パネルの表示画像の品位が低下する。【０００８】
本発明は斯かる事情に鑑みてなされたものであり、その目的とするところは、照明光の不均一に起因する表示品位への悪影響を低減することができるバックライト装置及び該バックライト装置を備える表示装置を提供することにある。
【課題を解決するための手段】
【０００９】
本発明に係るバックライト装置は、光源と、該光源の光が側面に入射され、一面から光を出射する導光板と、該導光板の周縁部及び前記光源を囲う枠体と、前記一面の側に配置された光学シートとを備えるバックライト装置において、前記枠体は、光源側で前記一面の周縁部を覆う第一覆部を備え、前記光学シートが、前記光源側で前記第一覆部上に配置され、前記光源が配置されていない側で、少なくとも一部が前記一面上に配置されていることを特徴とする。【００１０】
本発明に係るバックライト装置は、前記光源が、前記導光板の一つの側面に対向して配置され、前記光学シートが、前記光源側と相対する側で前記一面上に配置されていることを特徴とする。【００１１】
本発明に係るバックライト装置は、前記光源が前記導光板の一つの側面に対向して配置され、前記枠体は、前記光源側と相対する側で前記一面の周縁部を覆う第二覆部を備え、前記光学シートは、前記光源側と相対する側で前記第二覆部上に配置されていることを特徴とする。【００１２】
本発明に係る表示装置は、画像を表示する表示パネルと、該表示パネルに光を照射する前記バックライト装置とを備えることを特徴とする。
【発明の効果】
【００１３】
本発明によれば、第一覆部で導光板の一面の光源側の周縁部を覆うことにより、光源の光が導光板内で十分に拡散されない状態で出射されることを防止することができる。また、光源側で光学シートを第一覆部上に配置し、光源が配置されていない側で光学シートの少なくとも一部を導光板上に配置することにより、光源の光が光学シートの端面へ入射して、導光板を経ずにそのまま出射されることを防止するとともに、第一覆部のような構造による影を減少することができる。このため、本発明のバックライト装置は、照射光の不均一に起因する表示品位への悪影響を低減することができる。【００１４】
また、このようなバックライト装置で照明される表示装置は、表示画面の輝度分布の不均一による影響を低減し、表示品位の向上を図ることができる。
【図面の簡単な説明】
【００１５】
【図１】実施の形態１に係る表示装置の外観を略示する斜視図である。
【図２】図１中のＩＩ−ＩＩ線による断面図である。
【図３】実施の形態１に係るバックライト装置の光源側近傍の光学シートの配置を略示する斜視図である。
【図４】図１中のＩＶ−ＩＶ線による断面図である。
【図５】実施の形態２に係るバックライト装置の要部を示す断面図である。
【発明を実施するための形態】
【００１６】
以下、本発明をその実施の形態を示す図面に基づいて詳述する。
（実施の形態１）
図１は、実施の形態１に係る表示装置の外観を略示する斜視図である。図示の表示装置は、矩形板状をなす画像表示用の液晶パネル（表示パネル）１と、該液晶パネル１に光を照射するバックライト装置２とを備えている。
【００１７】
液晶パネル１には、矩形枠状の正面キャビネット１０が、画像表示面の周縁を適幅に亘って縁取るように組み付けてある。図１には、正面キャビネット１０の枠内に露出する液晶パネル１の画像表示面のみが示されている。液晶パネル１の背面側は、バックライト装置２の外筐を構成するバックライトシャーシ２０により覆われている。バックライトシャーシ２０は、液晶パネル１の背面側に後述の如く組み付けられる。
【００１８】
図１に示す表示装置は、バックライトシャーシ２０の背面に取付けた受信部１１及び信号処理部１２を備えるテレビジョン受信機として構成されている。受信部１１は、図示しないアンテナに接続され、該アンテナを介してテレビジョン放送を受信する。信号処理部１２は、受信部１１が受信したテレビジョン放送に係るデータを復調し、復調したデータから画像データを分離し、分離した画像データを出力する。液晶パネル１は、信号処理部１２が出力した画像データに基づく画像を画像表示面に表示する。
【００１９】
表示装置は、更にスタンド１３を備えている。スタンド１３は、バックライトシャーシ２０の一長辺の中央部から突き出す脚柱の先端に、該脚柱に対して略垂直に拡がるようにＨ形に成形された脚部を連設してなる。表示装置は、載置面上にスタンド１３を介して支持し、液晶パネル１の画像表示面を縦姿勢に保って使用される。以下の説明においては、液晶パネル１の画像表示面の側を正面側、他側を背面側とする。また、以下の説明で使用する上、下は、前述した使用状態での上、下に対応し、同じく左、右は、使用状態において正面側から見て左、右に対応する。
【００２０】
図２は図１中のＩＩ−ＩＩ線による断面図である。バックライト装置２は、一面の全面に開口を有する浅底の箱形をなすバックライトシャーシ２０に、例えば光源部２１及び導光板２３等を収容して構成されている。
【００２１】
光源部２１は、短冊状の基板２１１と、基板２１１に実装された光源２１０とを備える。光源２１０は、例えば発光ダイオードであり、基板２１１の長手方向に複数並設されている。光源部２１は、バックライトシャーシ２０の下側の側板に光源２１０の実装面を内向きとして固定されている。なお、光源部２１は、冷陰極蛍光ランプ（ＣＣＦＬ：Cold Cathode Fluorescent Lamp）、外部電極蛍光ランプ（ＥＥＦＬ：External Electrode Fluorescent Lamp）、熱陰極蛍光ランプ（ＨＣＦＬ：Hot Cathode Fluorescent Lamp）等であってもよい。
【００２２】
導光板２３は、アクリル樹脂、ポリカーボネート樹脂等の透明性を有する合成樹脂製であり、矩形板状に形成されている。導光板２３は、一面をバックライトシャーシ２０の開口に臨ませてバックライトシャーシ２０の底板上に載置されている。また、光源２１０側では、バックライトシャーシ２０の底板と導光板２３との間に、導光板２３を支持する支持体２２が配置されている。
【００２３】
反射シート２４は、高反射性を有する合成樹脂製のシートである。反射シート２４は導光板２３の他面に被着されている。
【００２４】
枠体２５は、例えば樹脂製の矩形枠状の部材であり、導光板２３の周縁部及び光源２１０を囲う。枠体２５は、バックライトシャーシ２０に側壁の外側から嵌合される周壁板２５１と、周壁板２５１の内面から垂直をなして延設された支持板２５２とを備える。また、枠体２５は、光源２１０側で、支持板２５２から導光板２３に向けて一体的に突出する押え板（第一覆部）２５３を備える。押え板２５３は、導光板２３の一面の周縁部にクッションを介して当接し、支持体２２とともに導光板２３を挟持する。また、押え板２５３は、支持板２５２とともに光源２１０を覆って、光源２１０から表示装置の正面側へ出射される光を遮るための遮光構造を兼ねる。
【００２５】
光学シート２６は、例えば拡散シート、プリズムシート及び偏光シート等を積層して構成される。光学シート２６は、矩形板状をなし、導光板２３上に略全面を覆うように配置されている。光学シート２６は、光源２１０側に正面側に向けて斜めに立ち上がる鍔部２６ａを備える。光源２１０側では、枠体２５の押え板２５３が光学シート２６の保持部を兼ね、光学シート２６の鍔部２６ａが、押え板２５３上に配置されている。光源２１０が配置されていない側では、光学シート２６は、導光板２３の一面上に積層配置されている。図３は、実施の形態１に係るバックライト装置２の光源２１０側近傍の光学シート２６の配置を略示する斜視図である。説明の便宜上、図３は枠体２５の要部のみを示してある。図３に示すように、鍔部２６ａが光学シート２６の長さ方向に連続している。
【００２６】
このように構成されたバックライト装置２において、光源２１０の光は、導光板２３に側面から入射され、反射シート２４での全反射と、導光板２３の一面での部分反射とを繰り返して導光板２３内を進行し、導光板２３の一面の全面から光学シート２６に向けて均一に出射される。
【００２７】
液晶パネル１は、背面を光学シート２６に対向させて枠体２５の支持部２５２上に配置されている。正面キャビネット１０は、液晶パネル１の正面の周縁を覆い、枠体２５の周壁板２５１に外側から嵌合されて、支持部２５２との間に液晶パネルを挟持する。これにより、表示装置は構成された。このような表示装置では、導光板２３からの前述した出射光が光学シート２６を通って、液晶パネル１の背面に照射され、液晶パネル１で画像を表示する。
【００２８】
図４は、図１中のＩＶ−ＩＶ線による断面図であり、光源２１０が配置されていない右側の断面が示されている。図４に示すように、枠体２５は、バックライトシャーシ２０に側壁の外側から嵌合される周壁板２５１と、周壁板２５１の内面から垂直をなして延設された支持板２５２とを備える。支持板２５２には、押え板２５３が連設されていない。また、光学シート２６は鍔部２６ａを有しておらず、端部に至るまで導光板２３の上を覆うように配置されている。
【００２９】
なお、上述では、図４に基づいてバックライト装置２の右側についてのみ図示して説明したが、同様な構成がバックライト装置２の左側及び上側に設けてある。
【００３０】
このように構成されたバックライト装置２では、押え板２５３で導光板２３の一面の光源２１０側の周縁部を覆ってあるから、光源２１０から導光板２３に入射された光が十分に拡散されない状態で出射されることを防止することができる。また、光学シート２６が光源２１０側に形成された鍔部２６ａにより押え板２５３上に配置されているから、光源２１０の光が光学シート２６の端面へ入射して、導光板２３を経ずにそのまま出射されることを防止することができる。このため、光源２１０側では、明部が生じにくい。また、光源２１０が配置されていない側では、枠体２５が押え板２５３を有しておらず、光学シート２６が導光板２３上に配置してあるから、当該部分では、液晶パネル１の表示領域の周縁部分に押え板２５３の影による暗部が生じにくい。従って、液晶パネル１に表示される画像の品質を良好にさせることができる。
【００３１】
（実施の形態２）
図５は実施の形態２に係るバックライト装置２の要部を示す断面図であり、バックライト装置２の光源２１０側と相対する側の構成を示してある。以下、特に説明する構成、作用以外の構成及び作用は実施の形態１と同等であり、簡潔のため記載を省略する。
【００３２】
図５に示すように、枠体２５は、光源２１０側と相対する側に、導光板２３の一面の周縁部を覆う押え板（第二覆部）２５４を備えている。押え板２５４は、光源２１０側の押え板（第一覆部）２５３と同様に支持板２５２に連設されている。光学シート２６は、光源２１０側と相対する側に、光源２１０側の鍔部２６ａと同様に形成された鍔部２６ｂを有する。押え板２５４は光学シート２６の保持部を兼ねる。押え板２５４の保持により、光学シート２６は、光源２１０側と相対する側においても、光源２１０側と同様に鍔部２６ｂを押え板２５４上に配置されている。
【００３３】
このように構成されたバックライト装置２では、光源２１０側と相対する側に、光学シート２６に鍔部２６ｂを形成し、鍔部２６ｂを押え板２５４上に配置することにより、光学シート２６を確実に保持することができる。また、導光板２３の端部から漏れ出す光が押え板２５４及び光学シート２６の鍔部２６ｂの遮光により当該部分に発生する虞がある明部の防止を図ることができる。
【００３４】
以上の実施の形態では、導光板２３の下側面に沿って一つの光源部２１を配置した構成について説明したが、光源部２１を２つ備えてもよい。光源部２１を２つ備える場合、例えば、導光板２３の左右側面にそれぞれ対向配置してもよく、上下側面にそれぞれ対向配置してもよい。
また、以上の実施の形態では、枠体２５は、４辺が一体的に構成されていてもよく、辺ごとに別体に形成され、各辺の端部を連接することにより構成されてもよい。
【００３５】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００３６】
１  液晶パネル（表示パネル）
２  バックライト装置
２０  バックライトシャーシ
２１  光源部
２１０  光源
２３  導光板
２４  反射シート
２５  枠体
２５１  周壁板
２５２  支持板
２５３  押え板（第一覆部）
２５４  押え板（第二覆部）
２６  光学シート
２６ａ、２６ｂ  鍔部
【図１】
0006495179.tif 000002
【図２】
0006495179.tif 000003
【図３】
0006495179.tif 000004
【図４】
0006495179.tif 000005
【図５】
0006495179.tif 000006